(57)【要約】  本発明は、パイプに取り付けられるライナーを準備するための装置に関する。装置は、その回転軸に対して回転対称なフレーム（１０）を含み、フレームは２つの端部（１５）を有し、端部（１５）の両方の中央には開口部（１１）が配置される。装置は、フレーム（１０）に関する２つのリング（１２）をさらに含み、２つのリング（１２）はその外径が同じ大きさで、前記外径はリング（１２）間の部分のフレーム（１０）の外径より大きい。【選択図】図３
2020512509.tif 000002
【特許請求の範囲】
【請求項１】
パイプに取り付けられるライナーを用意するための装置であって、
前記装置は、その回転軸に対して回転対称なフレーム（１０）を備え、前記フレームは２つの端部（１５）を有し、前記端部（１５）の両方の中央には開口部（１１）が配置され、前記装置は、フレーム（１０）に関する２つのリング（１３）をさらに含み、前記２つのリング（１３）はその外径が同じ大きさで、前記外径は前記リング（１３）間の部分のフレーム（１０）の外径より大きい、装置であって、
前記フレームの各端部（１５）には、前記２つのリング（１３）のうちの１つのリング（１３）が固定され、前記リング（１３）は、その外径が前記リング（１３）間の部分のフレーム（１０）の外径より５〜３０ｍｍ大きく、前記装置は、前記装置を片手で使用するためのハンドル（２０）をさらに含むことを特徴とする、装置。
【請求項２】
前記リング（１３）は、滑りを防止するために前記リング（１３）の外面にゴム又はシリコンを含むことを特徴とする、請求項１に記載の装置。
【請求項３】
前記リング（１３）は、前記フレーム（１０）に着脱可能なように取り付けられ、所望される間隙をもたらすために外径の大きさが異なるリングと取り換え可能なように配置されることを特徴とする、請求項１又は２に記載の装置。
【請求項４】
前記ハンドル（２０）は、
前記フレーム（１０）の前記端部（１５）にある前記開口部（１１）に挿入されるように適合される、前記フレーム（１０）の回転軸に平行な２つの軸部分（２１）と、
前記軸部分（２１）を接続させるフレーム部分（２２）と、
前記フレーム（１０）の回転軸に対して横切る、前記フレーム部分（２２）に連結される支持部分（２３）と、
前記支持部分（２３）に関する肘支持部（２４）と、を備えることを特徴とする、請求項１〜３のいずれか１項に記載の装置。
【請求項５】
前記ハンドル（２０）の前記肘支持部（２４）は、リング又はパイプの形状であって、外径及び内径を有し、前記肘支持部（２４）の前記内径は、最も狭い箇所で少なくとも５０ｍｍであることを特徴とする、請求項４に記載の装置。
【請求項６】
前記ハンドル（２０）の少なくとも軸部分（２１）と、フレーム部分（２２）とは、少なくとも部分的に鋼鉄で製造されていることを特徴とする、請求項４又は５に記載の装置。
【発明の詳細な説明】
【技術分野】
【０００１】
本発明は、管更生に使用されるライナーにエポキシ樹脂を均一に分散させるための装置に関する。
【背景技術】
【０００２】
不動産物件におけるパイプは、エポキシ樹脂を含浸したライナーが空気圧を使用する反転工法によってパイプ内に滑り込み、パイプの内側に取り付けられる、いわゆるＣＩＰＰ（現場硬化管）工法によって、ますます高い頻度で更生されている。取り付ける前に、ライナーの外面は貫けないプラスチック膜で形成され、内面は通常はフェルト若しくは布の吸収材料で形成される。ライナーの中には液状のエポキシ樹脂が導入され、ライナーはエポキシ樹脂がライナーの内面に均一に分散し浸透するまで圧搾され、その後にライナーはＣＩＰＰライニングドラムに巻き取られる。反転する際に、ＣＩＰＰライニングドラム内の圧縮された空気が、ＣＩＰＰライニングドラム内のライナーの内側をライナーの外面としてパイプライン内で反転させ、外面にあるエポキシ樹脂がパイプの内面に付着する。ライナーがＣＩＰＰライニングドラムからパイプ内で完全に反転されると、エポキシ樹脂が硬化し、ライナーが古いパイプの内部に新しいパイプを形成するまで、空気圧が維持される。
【０００３】
この構成の欠点は、重く、機能するために電気を必要とし、それゆえに固定して設置されている、従来技術に従う圧搾機である。そしてライナーは、圧搾機が設置されている車又は現場のコンテナの中で用意されなければならない。
【発明の概要】
【０００４】
本発明の目的は、従来技術に従う圧搾機の欠点を減少させる装置である。
【０００５】
本発明は円柱を基にしており、平面からのその距離は円柱にあるリングによって所望されるように決められる。本発明に従う装置は円柱形フレームを有し、円柱形フレームには、円柱の半径より大きな半径のリングが互いから間隔を空けられて配置されている。リング間にある円柱の部分は、リングの半径と円柱の半径との差異の大きさである間隙を平面に対して形成する。本装置を使用して、例えば、ライナーが装置のリング間にあるようにライナーを平面上に設置して、装置をライナー上で回転させることによって、ライナーの内側のエポキシ樹脂は、均一な層に分散され得る。代替的に、リングが回転可能な若しくは自由に回転する円柱に接触するように、装置が所定の場所で回転され、装置のリング間のフレームの部分と第二円柱との間を通るライナーが、リングの間隙によって規定される厚さに均一にされる。
【０００６】
本発明は、次の添付の図を参照しながら、好ましい実施形態に関して本明細書でより詳細に説明される。
【図面の簡単な説明】
【０００７】
【図１】リングがフレームの表面上に配置されている、一実施形態に従う装置を示す図である。
【図２】リングがフレームの端部に配置されている、一実施形態に従う装置を示す図である。
【図３】ハンドルを装備されている、一実施形態に従う装置を示す図である。
【図４】第二シリンダに関連して、一実施形態に従う装置を示す図である。
【発明を実施するための形態】
【０００８】
図１は、回転対称な円柱形フレーム１０と、フレーム１０の表面上にあるリング１２とで構成される、本発明の一実施形態に従う装置を示す。フレーム１０の両端１５の中央には、円形の開口部１１があり、本装置は開口部１１から例えば軸受を取り付けられる場合があり、あるいは、本装置を押すためのハンドル若しくは本装置を回転させるためのクランクが開口部１１に固定される場合がある。開口部１１はまた、穴がフレーム１０全体を通って延びる場合、互いに関連していることもある。フレーム１０の中には、リング１２の位置でフレームの周りに溝が配置されており、溝はリング１２がフレーム１０の所定の位置に留まるのに貢献する。フレーム１０の表面は、リングのために配置され得る溝を除いて、滑らかであるのが好ましい。
【０００９】
フレーム１０は、プラスチック、木、金属、又はその組み合わせで製造されるのが好ましい。リング１２はフレームの固定された部分の場合もあり、又は着脱可能なようにフレーム１０に取り付けられている場合もある。一実施形態では、フレーム１０の表面にリング１２のための溝があり、リングは、所定の位置に取り付ける際にわずかに伸ばせるように、ゴム、シリコン、又は他の弾性材料で製造され、溝に収まると、リング１２は元の形状に戻って溝の所定の位置に留まる。好ましくは、リング１２はまた、例えばゴム若しくはシリコンの滑らない面を有し、装置が平面に対して滑るのではなく、装置が平面に対して容易に回転できる。装置が滑ることによって、扱われているライナーを損傷する場合があり、従って、リングの滑り摩擦係数が高く、例えば装置が平面に対して動いているときに、装置が滑るのではなく回転するようにするのが好ましい。
【００１０】
図２は、回転対称の円柱形フレーム１０と、フレーム１０の端部１５にある円盤のようなリング１３と、で構成される、本発明の一実施形態に従う装置を示す。リング１３はフレーム１０の固定された部分の場合もあり、又はねじ１４によって着脱可能なようにフレーム１０に取り付けられている場合もある。リング１３の中央及びフレーム１０の両端１５の中央の両方には、円形の開口部１１があり、本装置は開口部１１から例えば軸受を取り付けられる場合があり、あるいは、本装置を押すためのハンドル若しくは本装置を回転させるためのクランクが開口部１１に固定される場合がある。一実施形態では、フレーム１０は、完全に中実な、厚さが均一の円柱であって、開口部１１はフレーム１０の端部１５に固定されるリング１３の中央にのみある。フレームの開口部１１はまた、穴がフレーム１０全体を通って延びる場合、互いに関連していることもある。フレーム１０の表面は、リングのために配置され得る溝を除いて、滑らかであるのが好ましい。
【００１１】
フレーム１０は、プラスチック、木、金属、又はその組み合わせで製造されるのが好ましい。リング１３はフレームの固定された部分の場合もあり、又は着脱可能なようにフレーム１０に取り付けられている場合もある。好ましくは、リング１３の円周上の外面は、例えばゴム、シリコン又は滑らない表面を有する他の材料で覆われ、コーティングされ、又は製造されており、装置が平面に対して滑るのではなく、装置が平面に対して容易に回転できる。装置が滑ることによって、扱われているライナーを損傷する場合があり、従って、リングの滑り摩擦係数が高く、例えば装置が平面に対して動いているときに、装置が滑るのではなく回転するようにするのが好ましい。
【００１２】
図３は、装置を片手で使用するためのハンドル２０をさらに有する、図１に示される実施形態に従う装置を示す。同じハンドルはまた、図２に示される実施形態に従う装置と関連して使用され得る。ハンドル２０は着脱可能なようにフレームに取り付けられるのが好ましい。ハンドル２０は、フレーム１０の端部１５の開口部１１に挿入されるように適合される、フレーム１０の回転軸と平行な２つの軸部分２１を有する。軸部分２１とフレーム１０との間の摩擦を低減するために、軸受がハンドルの軸部分２１の最外端部に使用され得る。ハンドル２０は、軸部分２１を接続するフレーム部分２２をさらに有し、フレーム部分２２の全体はフレームの外側にある。ハンドル２０は、フレーム１０の回転軸に対して好ましくは横切る、フレーム部分２２に連結される支持部分２３をさらに含む。ハンドル２０は、支持部分２３に関連して、例えばリング又はパイプの形状となり得る、肘支持部２４をさらに含む。十分な剛性と弾力性とを達成するために、ハンドル２０は鋼鉄などの金属から製造されるのが好ましい。一実施形態では、ハンドル２０の最外端部をフレーム１０からフレーム１０の回転軸の方向に引っ張り、軸部分２１がフレームの開口部１１から離れるように上昇し、ハンドル２０が解放されることによって、ハンドル２０をフレームから取り外すことができる。同様に、軸部分２１を互いから離れるように引っ張り、軸部分をフレームの開口部１１に設置し、ハンドルからの把持を解放し、軸部分２１がフレームの開口部分１１の中に突出することによって、ハンドル２０をフレームに取り付けることができる。ハンドルが静止位置にあるときに、軸部分２１の自由端部間の距離はフレーム１０の長さより短いので、ハンドル２０は、軸部分２１を互いから離れるように引っ張らない限り、フレーム１０から外れない。
【００１３】
一実施形態では、ハンドルの軸部分２１はボルトで、フレーム１０の開口部１１は、軸部分のボルトのねじ部を受けるためにねじ状になっており、フレームに対する軸受が取り付けられている。回転運動を可能にする他の対応する連結方法も、フレームとハンドルとの間で使用できる。
【００１４】
図３に示される実施形態は、フレーム１０、リング１２及びハンドル２０を含み、片手で使用してライナーの内側にエポキシ樹脂を分散させ得る。手は、手首と前腕の一部が支持部２３に留まるように肘支持部２４を通って挿入され、掌で把持することによって、支持部分２３及びフレーム部分２２の連結点から保持される。肘支持部２４は、リング１２が平面に留まり、平坦にされるライナーがリング間及びフレーム１０と平面との間に留まるように、平面に装置を押し当てるための十分な力を生成するために、支持部２３によって生じるレバレッジ効果を援助する。平面として、例えば床、テーブル、カウンター、若しくは壁でさえも、ほぼどのような平坦な面でも使用され得る。自由なままの手は、例えば、ライナーを動かしたり、直したり、又は所定の位置に保持したりでき、一方で、本装置を使用して、ライナー内部のエポキシ樹脂は均一な層に融合される。
【００１５】
図４は、図１に示される実施形態に従う装置を反対の円柱３０に関連して示す。同様の配置は、図２に示される実施形態に従う装置に関しても使用され得る。装置の円柱形フレーム１０と反対の円柱３０とは、それらの回転軸が平行で、互いから所望の距離にあるように、例えば、フレーム１０の端部１５の開口部１１からの軸と、反対の円柱３０の端部３５の開口部３１からの軸とによって、支持構造に回転可能なように固定される。支持構造への固定も、支持構造も図４に示されていない。回転軸間の距離は、フレーム１０に関するリング１２の半径と、反対の円柱３０の半径との合計と全く同じ又はほぼ同じであることが好ましい。距離は前記半径の合計から、例えば、５％未満、１０％未満、若しくは１５％未満外れることがある。一実施形態では、フレーム１０及び反対の円柱３０の両方は、その回転軸周りに自由に回転するように固定される。好ましい一実施形態では、フレーム１０及び／又は反対の円柱３０に、それ／それらを回転させるための回転手段が連結される。一実施形態では、回転手段は、フレーム及び／又は反対の円柱を手作業で回転できる、クランクの場合がある。一実施形態では、回転手段は、 角のあるくぎの場合があり、フレーム及び／又は反対の円柱が、角のあるくぎをドリル又はドライバのチャックに連結させることによって、又は例えばモンキーレンチ、ボックスレンチ、オープンエンドレンチ、又はめがねレンチを角のあるくぎを把持するための支援として手作業で使用することによって、パワードリル若しくは電動ドライバによって回転できる。
【００１６】
当業者にとって、技術が発展するのにつれて、本発明の基本理念が様々な方法で実施され得ることは明らかである。それゆえに、本発明及びその実施形態は、上記で提示される例にのみに限定されず、むしろ請求項の範囲内で変化し得る。
【図１】
2020512509.tif 000003
【図２】
2020512509.tif 000004
【図３】
2020512509.tif 000005
【図４】
2020512509.tif 000006
【国際調査報告】
2020512509.tif 000007
2020512509.tif 000008
2020512509.tif 000009